(57)【要約】  アプリケーション・レイヤ、ＭＡＣレイヤ、及び物理（ＰＨＹ）レイヤを含む無線通信システムに対して、媒体アクセス制御（ＭＡＣ）ヘッダを使用するシステム及び方法が開示される。該ＭＡＣヘッダは、ネットワークに位置したデバイス間で、時間遅延鈍感なデータ伝送を受け入れる。ＭＡＣヘッダは、コンポーネント間で、高解像度（ＨＤ）ビデオを伝送する短範囲ネットワークでの特別な利点を発見する。当該一実施形態による圧縮解除されたビデオのための無線通信ネットワークでデータを伝送するための方法は、データを複数個のデータパケットに断片化する段階と、データパケットのうち、少なくとも一つにＰＨＹヘッダを付加し、媒体アクセス制御（ＭＡＣ）フレームを形成する段階と、ＰＨＹヘッダにフィールドを設定してパケットがオーディオビデオ（Ａ／Ｖ）データを含んでいないことを表示する段階と、ＭＡＣフレームを無線通信ネットワークの他のデバイスに送信する段階とを含む。
2010541451.tif 000002
【特許請求の範囲】
【請求項１】
圧縮解除されたビデオのための無線通信ネットワークで、データを伝送するための方法において、
前記データを複数個のデータパケットに断片化する段階と、
前記データパケットのうち、少なくとも一つにＰＨＹヘッダを付加し、媒体アクセス制御（ＭＡＣ）フレームを形成する段階と、
前記ＰＨＹヘッダにフィールドを設定し、前記パケットがオーディオビデオ（Ａ／Ｖ）データを含んでいないことを表示する段階と、
前記ＭＡＣフレームを、前記無線通信ネットワークでの他のデバイスに送信する段階とを含むことを特徴とする方法。
【請求項２】
前記データが送信された後、送信は、圧縮解除されたビデオを、前記ＭＡＣフレームでもってパケット化し、前記ＰＨＹヘッダの前記フィールドの設定は、Ａ／Ｖデータが伝送されているかを否か表示することを特徴とする請求項１に記載の方法。
【請求項３】
前記データパケットのうち、少なくとも一つを所定の個数のサブパケットに断片化する段階をさらに含み、
前記サブパケットがＡ／Ｖデータを含まないときの前記サブパケットの個数は、前記Ａ／Ｖデータが伝送されるときの前記サブパケットの個数と異なることを特徴とする請求項１に記載の方法。
【請求項４】
前記所定の個数のサブパケットは、前記他のデバイスの確認応答（ＡＣＫ）グループの個数と同一であり、前記他のデバイスでのＰＨＹレイヤは、前記サブパケットを、前記ＡＣＫグループにマッピングするための確認応答グループマッピングを適用しないことを特徴とする請求項３に記載の方法。
【請求項５】
それぞれのＡＣＫグループは、巡回冗長検査（ＣＲＣ）によって付加され、前記ＣＲＣは、前記ＰＨＹレイヤによって処理されることを特徴とする請求項４に記載の方法。
【請求項６】
ＡＣＫグループでのあらゆる前記サブパケットは、受信機側のＰＨＹレイヤによって、前記受信機側のＭＡＣレイヤに移動することを特徴とする請求項５に記載の方法。
【請求項７】
前記ＭＡＣレイヤは、自体のＣＲＣが正しいサブパケットを選択的に選択することを特徴とする請求項６に記載の方法。
【請求項８】
それぞれのサブパケットの再伝送状態を表示するための再伝送表示子フィールドをさらに含むことを特徴とする請求項１に記載の方法。
【請求項９】
前記データパケットのうち、少なくとも一つにＭＡＣヘッダを付加し、前記ＭＡＣフレームを形成する段階をさらに含むことを特徴とする請求項１に記載の方法。
【請求項１０】
前記サブパケットそれぞれは、自体のＭＡＣヘッダを含み、１つのＭＡＣヘッダでのエラーが他のサブパケットに影響を及ぼさないことを特徴とする請求項９に記載の方法。
【請求項１１】
前記サブパケットは、１つのＭＡＣヘッダを共有することを特徴とする請求項９に記載の方法。
【請求項１２】
前記Ａ／Ｖデータは、ビデオ、オーディオ及び制御を含むことを特徴とする請求項１に記載の方法。
【請求項１３】
前記ＭＡＣフレームは、ＭＡＣヘッダを含み、前記ＭＡＣフレームは、前記ＰＨＹヘッダ及び前記ＭＡＣヘッダのためのヘッダＣＲＣをさらに含むことを特徴とする請求項１に記載の方法。
【請求項１４】
前記複数個のデータパケットそれぞれは、サブパケットを含み、前記サブパケットは、複数個の小さいペイロードを含むことを特徴とする請求項１に記載の方法。
【請求項１５】
前記小さいペイロードそれぞれは、サブ・サブパケットを含むことを特徴とする請求項１４に記載の方法。
【請求項１６】
前記小さいペイロードそれぞれは、長さ、シーケンス番号、断片制御、ＣＲＣ及びＭＳＤＵのためのフィールドを含むペイロード・ヘッダを含むことを特徴とする請求項１４に記載の方法。
【請求項１７】
前記小さいペイロードそれぞれは、知られたパターンを含むことを特徴とする請求項１４に記載の方法。
【請求項１８】
前記ＰＨＹヘッダ及び前記ＭＡＣヘッダは、３直交周波数分割多重化（ＯＦＤＭ）シンボルに適するように設計されることを特徴とする請求項１に記載の方法。
【請求項１９】
圧縮解除されたビデオのための無線通信ネットワークでデータを伝送するためのシステムにおいて、
データを受信し、第１フォーマットによって複数個の媒体アクセス制御（ＭＡＣ）フレームを生成するように構成され、物理（ＰＨＹ）レイヤ及びＭＡＣレイヤを含む送信機と、
前記送信機から前記複数個のＭＡＣフレームを受信し、前記第１フォーマットによって原データを抽出するように構成され、物理（ＰＨＹ）レイヤ及びＭＡＣレイヤを含む受信機とを含み、
前記ＭＡＣフレームは、前記ＭＡＣフレームのデータパケットがオーディオビデオ（Ａ／Ｖ）データを含んでいないことを表示するためのフィールドを含むことを特徴とするシステム。
【請求項２０】
前記データが送信された後、前記ＭＡＣフレームは、圧縮解除されたビデオを含み、前記ＭＡＣフレームの前記フィールドは、Ａ／Ｖデータが伝送されていることを表示するように設定され、前記送信機及び前記受信機は、前記ＭＡＣフレームの第２フォーマットを使用することを特徴とする請求項１９に記載のシステム。
【請求項２１】
前記送信機は、前記データが前記Ａ／Ｖデータを含んでいるか否かを検出する検出器と、前記検出器からの信号によって、前記ＭＡＣフレームの前記フィールドを設定する制御器とをさらに含むことを特徴とする請求項１９に記載のシステム。
【請求項２２】
圧縮解除されたビデオのための無線通信ネットワークでデータを伝送するためのシステムにおいて、
データを受信し、第１フォーマットによって複数個の媒体アクセス制御（ＭＡＣ）フレームを生成するように構成され、物理（ＰＨＹ）レイヤ及びＭＡＣレイヤを含む送信機と、
前記送信機から前記複数個のＭＡＣフレームを受信し、前記第１フォーマットによって原データを抽出するように構成され、物理（ＰＨＹ）レイヤ及びＭＡＣレイヤを含む受信機とを含み、
前記ＭＡＣフレームのデータパケットは、オーディオビデオ（Ａ／Ｖ）データを含まないことを特徴とするシステム。
【請求項２３】
圧縮解除されたビデオのための無線通信ネットワークでデータを伝送するためのシステムにおいて、
前記データを複数個のデータパケットに断片化する手段と、
前記データパケットのうち、少なくとも一つにＰＨＹヘッダを付加し、媒体アクセス制御（ＭＡＣ）フレームを形成する手段と、
前記ＰＨＹヘッダにフィールドを設定し、前記パケットがオーディオビデオ（Ａ／Ｖ）データを含んでいないことを表示する手段と、
前記ＭＡＣフレームを、前記無線通信ネットワークでの他のデバイスに送信する手段とを含むことを特徴とするシステム。
【請求項２４】
前記ＰＨＹヘッダの前記フィールドは、ビットを含むことを特徴とする請求項２３に記載のシステム。
【請求項２５】
前記システムは、遅延鈍感なデータを送信することを特徴とする請求項２３に記載のシステム。
【発明の詳細な説明】
【技術分野】
【０００１】
本発明は、データ情報の無線伝送に係り、特に、無線ネットワークを介した遅延鈍感な（insensitive）圧縮解除（delay  insensitive  uncompressed）データの無線伝送に関する。
【背景技術】
【０００２】
高画質（ＨＤ：high  definition）テレビは、消費者にかなり普及しており、現在多くのＨＤコンポーネントが利用可能である。コンポーネント間にインターフェースを互換可能にするために、高画質マルチメディア・インターフェース（ＨＤＭＩ）標準が開発されてきた。次の段階は、消費者をして、短範囲（short  range）無線ネットワークを介してＨＤコンポーネントを連結させることである。リアルタイムビデオ伝送を獲得するために、ビデオは、圧縮解除された形態で伝送される。
【０００３】
ファイル伝送のような時間鈍感（insensitive）データ伝送は、圧縮／圧縮解除されたビデオファイルまたはその他データファイルを、短範囲を介してダウンロード／アップロードするために設計された高データ比率の無線ネットワークのための非常に重要なアプリケーションである。アプリケーションは、遅延に影響を受けないとしても、効率的な伝送スキーム（scheme）は、チャンネル効率性をかなり向上させることができる。バッテリで動作するデバイスに対し、データ伝送時間の低減は、バッテリ寿命を延長させる結果を得させる。
【０００４】
高率（high-rate）ＰＨＹ（ＨＲＰ）フレームフォーマットは、かようなネットワークについて定義されていない。圧縮解除されたビデオのためのＨＲＰコンポジット（composite）フレームフォーマットは、図１に図示されているように定義される。しかし、他のタイプのデータ伝送のために、このフォーマットを使用するには、いくつかの問題点がある。第一に、クロックシンク情報（clock  sync  information）１０２やビデオヘッダのフィールド１０４のようないくつかのヘッダ情報は、データ伝送に利用されない。第二に、コンポジットパケットの伝送のために、７個のサブパケット１０６を設定するのは適するが、７個のサブパケット１０６は、多様なタイプのペイロード（payload）情報を受け入れるために、５個のＡＣＫグループにマッピングされる必要がある。しかし、データ伝送のために、最大２個のタイプのペイロード（すなわち、データ及び制御）があるために、７個のサブパケット１０６を設定してから、ＡＣＫグループマッピングを実行する必要性がない。伝送する遅延鈍感なデータは、保存されたマルチメディア・ファイルを含んでもよい。最近、かようなマルチメディア・ファイルが、１つのデバイスから他のデバイスに伝送される必要がある多くの場合がある。例えば、デジタルカメラまたはカムコーダは、高解像度ピクチャ、またはユーザがコンピュータまたはＨＤＴＶにアップロードしようとする長いビデオクリップ（long  video  clip）を容易に生成する。マルチメディア・ファイルのサイズは、大体他のタイプのファイルよりもはるかに大きい。
【発明の概要】
【発明が解決しようとする課題】
【０００５】
本発明が解決しようとする課題は、圧縮解除されたビデオのための無線通信ネットワークで、データを伝送するための方法を提供することである。
【課題を解決するための手段】
【０００６】
前述の課題を解決するために、本発明の一実施形態による圧縮解除されたビデオのための無線通信ネットワークでデータを伝送するための方法は、前記データを複数個のデータパケットに断片化する段階と、前記データパケットのうち、少なくともひとつにＰＨＹヘッダを付加して媒体アクセス制御（ＭＡＣ）フレームを形成する段階と、前記ＰＨＹヘッダにフィールドを設定し、前記パケットがオーディオビデオ（Ａ／Ｖ）データを含んでいないことを表示する段階と、前記ＭＡＣフレームを、前記無線通信ネットワークでの他のデバイスに送信する段階とを含むことを特徴とする。
【０００７】
前記データが送信された後、送信は、圧縮解除されたビデオを、前記ＭＡＣフレームでもってパケット化し、前記ＰＨＹヘッダの前記フィールドの設定は、Ａ／Ｖデータが伝送されているかを否か表示することが望ましい。
【０００８】
前記データパケットのうち、少なくとも一つを所定の個数のサブパケットに断片化する段階をさらに含み、前記サブパケットがＡ／Ｖデータを含まないときの前記サブパケットの個数は、前記Ａ／Ｖデータが伝送されるときの前記サブパケットの個数と異なることが望ましい。前記所定の個数のサブパケットは、前記他のデバイスの確認応答（ＡＣＫ）グループの個数と同一であり、前記他のデバイスでのＰＨＹレイヤは、前記サブパケットを、前記ＡＣＫグループにマッピングするための確認応答グループマッピングを適用しないことが望ましい。それぞれのＡＣＫグループは、巡回冗長検査（ＣＲＣ：cyclic  redundancy  checksum）によって付加され、前記ＣＲＣは、前記ＰＨＹレイヤによって処理されることが望ましい。ＡＣＫグループであらゆる前記サブパケットは、受信機側のＰＨＹレイヤによって、前記受信機側のＭＡＣレイヤに移動することが望ましい。前記ＭＡＣレイヤは、自体のＣＲＣが正しいサブパケットを選択的に選択することが望ましい。
【０００９】
それぞれのサブパケットの再伝送状態を表示するための再伝送表示子フィールドをさらに含むことが望ましい。前記データパケットのうち、少なくとも一つにＭＡＣヘッダを付加し、前記ＭＡＣフレームを形成する段階をさらに含むことが望ましい。前記サブパケットのそれぞれは、自体のＭＡＣヘッダを含み、１つのＭＡＣヘッダでのエラーが他のサブパケットに影響を及ぼさないことが望ましい。前記サブパケットは、１つのＭＡＣヘッダを共有することが望ましい。
【００１０】
前記Ａ／Ｖデータは、ビデオ、オーディオ及び制御を含むことが望ましい。前記ＭＡＣフレームは、ＭＡＣヘッダを含み、前記ＭＡＣフレームは、前記ＰＨＹヘッダ及び前記ＭＡＣヘッダのためのヘッダＣＲＣをさらに含むことが望ましい。
【００１１】
前記複数個のデータパケットのそれぞれは、サブパケットを含み、前記サブパケットは、複数個の小さいペイロードを含むことが望ましい。前記小さいペイロードのそれぞれは、サブ・サブパケットを含むことが望ましい。前記小さいペイロードのそれぞれは、長さ、シーケンス番号、断片制御、ＣＲＣ及びＭＳＤＵのためのフィールドを含むペイロード・ヘッダを含むことが望ましい。前記小さいペイロードのそれぞれは、知られたパターンを含むことが望ましい。
【００１２】
前記ＰＨＹヘッダ及び前記ＭＡＣヘッダは、３直交周波数分割多重化（ＯＦＤＭ）シンボルに適するように設計されることが望ましい。
【００１３】
また、前述の課題を解決するために、本発明の他の実施形態による圧縮解除されたビデオのための無線通信ネットワークでデータを伝送するためのシステムは、データを受信し、第１フォーマットによって複数個の媒体アクセス制御（ＭＡＣ）フレームを生成し、物理（ＰＨＹ）レイヤ及びＭＡＣレイヤを含む送信機と、前記送信機から前記複数個のＭＡＣフレームを受信し、前記第１フォーマットによって原データを抽出し、物理（ＰＨＹ）レイヤ及びＭＡＣレイヤを含む受信機とを含み、前記ＭＡＣフレームは、前記ＭＡＣフレームのデータパケットがオーディオビデオ（Ａ／Ｖ）データを含んでいないことを表示するためのフィールドを含むことを特徴とする。
【００１４】
前記データが送信された後、前記ＭＡＣフレームは、圧縮解除されたビデオを含み、前記ＭＡＣフレームの前記フィールドは、Ａ／Ｖデータが伝送されていることを表示するように設定され、前記送信機及び前記受信機は、前記ＭＡＣフレームの第２フォーマットを使用することが望ましい。
【００１５】
前記送信機は、前記データが前記Ａ／Ｖデータを含んでいるか否かを検出する検出器と、前記検出器からの信号によって、前記ＭＡＣフレームの前記フィールドを設定する制御器とをさらに含むことが望ましい。
【００１６】
また、前述の課題を解決するために、本発明の他の実施形態による圧縮解除されたビデオのための無線通信ネットワークでデータを伝送するためのシステムは、データを受信し、第１フォーマットによって複数個の媒体アクセス制御（ＭＡＣ）フレームを生成し、物理（ＰＨＹ）レイヤ及びＭＡＣレイヤを含む送信機と、前記送信機から前記複数個のＭＡＣフレームを受信し、前記第１フォーマットによって原データを抽出し、物理（ＰＨＹ）レイヤ及びＭＡＣレイヤを含む受信機とを含み、前記ＭＡＣフレームのデータパケットは、オーディオビデオ（Ａ／Ｖ）データを含まないことを特徴とする。
【００１７】
また、前述の課題を解決するために、本発明の他の実施形態による圧縮解除されたビデオのための無線通信ネットワークでデータを伝送するためのシステムは、前記データを複数個のデータパケットに断片化する手段と、前記データパケットのうち、少なくとも一つにＰＨＹヘッダを付加し、媒体アクセス制御（ＭＡＣ）フレームを形成する手段と、前記ＰＨＹヘッダにフィールドを設定し、前記パケットがオーディオビデオ（Ａ／Ｖ）データを含んでいないことを表示する手段と、前記ＭＡＣフレームを、前記無線通信ネットワークでの他のデバイスに送信する手段とを含むことを特徴とする。
【発明の効果】
【００１８】
現在のＡ／Ｖフレームフォーマットに、パケットがオーディオビデオ（Ａ／Ｖ）データを含まないということを表示するためのフィールドを含むように変形したり、またはＰＨＹ制御フィールドのデータパケット表示フィールドを含む新しいデータフレーム・フォーマットを使用することによって、高データ比率無線ネットワークでのファイル伝送のような時間鈍感（insensitive）データ伝送でのチャンネル効率性がかなり強化されうる。データ伝送時間の短縮は、バッテリで動作するデバイス等のバッテリ寿命を延長させる結果をもたらす。
【図面の簡単な説明】
【００１９】
【図１】オーディオビデオ（Ａ／Ｖ）アプリケーションのためのＨＲＰコンポジットフレーム・フォーマットである。
【図２】本システム及び方法の一実施形態による無線デバイス間の圧縮解除されたＨＤビデオ伝送を具現する無線ネットワークの機能ブロック図である。
【図３】本システム及び方法の一実施形態による無線媒体を介した圧縮解除されたＨＤビデオの伝送のための例示的な通信システムの機能ブロック図である。
【図４】ソース及び目的地間のファイル伝送シナリオを示す図である。
【図５】本発明の一実施形態によるＰＨＹ制御フィールドを示す図である。
【図６】ＭＡＣヘッダ拡張フォーマットを示す図である。
【図７】図６の再伝送表示子（retransmit  indicator）フィールドフォーマットを示す図である。
【図８】サブパケット・フォーマットを示す図である。
【図９】図８のサブパケット・ペイロード・フォーマットを示す図である。
【図１０】図９のペイロード・フォーマットを示す図である。
【図１１】データのためのＨＲＰフレームフォーマットを示す図である。
【図１２】図１１のデータのためのＰＨＹヘッダを示す図である。
【図１３】本発明の一実施形態によるＭＡＣヘッダを示す図である。
【図１４】図１３のＭＡＣ制御フィールドを示す図である。
【図１５】ＭＡＣヘッダ拡張フォーマットを示す図である。
【図１６】本発明の一実施形態によるデータのためのＨＲＰフレームフォーマットを示す図である。
【図１７】圧縮解除されたビデオのための無線通信ネットワークでデータを伝送する方法を示すフローチャートである。
【発明を実施するための形態】
【００２０】
以下、詳細な説明は、本発明の特定実施形態の多様な説明を提供する。しかし、本発明は、請求項によって定義されてカバーされる多数の異なる方式によって具現されうる。本詳細な説明で、図面に係わる参照は、同じ部分が同じ図面符号を指すように行われる。
【００２１】
ここで提供される詳細な説明に使われる用語は、単にそれが本発明のある特定実施形態の詳細な説明と結合されて利用されているという理由で、限定的または制限的方式で解釈されることがあってはならない。また、本発明の実施形態は、いくつかの新規特徴を含むことができ、以下で説明される望ましい属性に対して、単独に責任があるとか、または本発明を実施するにあたって必須的な１つの特徴だけを含むものではない。
【００２２】
通信システムの概要
無線チャンネルを介して、送信機から受信機への、圧縮解除されたＨＤビデオ情報の伝送のための方法及びシステムを提供する実施形態もある。
【００２３】
無線ビデオ領域ネットワーク（ＷＶＡＮ：wireless  video  area  network）は、図２に示されているように、１つのコーディネイタ（coordinator）、及び一つ以上のステーション（stations）から構成される。コーディネイタは、普通（しかし、いつもではない）オーディオまたはビデオのデータのためのシンク（sink）（例えば、ディスプレイ、また可能であるならば、ＰＶＲ（personal  video  recorder）のようなメディア保存デバイス）であるデバイスである。一方、ステーションは、可能であるならば、同時に時分割デュプレックス（ＴＤＤ：time  division  duplex）スキームを有したソースでもあり、シンクでもあるメディアを有したデバイスである。
【００２４】
コンピュータ及びネットワーキング産業は、通信及びコンピュータネットワーク・プロトコル設計のためのOpen  Systems  Interconnection  Reference  Model（ＯＳＩモデル）を使用する。ＯＳＩモデルは、２つのデバイス間での通信のための要求事項を定義する７レイヤの階層的構造である。７層レイヤは、アプリケーション・レイヤ、プレゼンテーション・レイヤ、セッション・レイヤ、トランスポート・レイヤ、ネットワーク・レイヤ、データリンク・レイヤ、物理（ＰＨＹ）レイヤを含む。
【００２５】
ここで、データリンク及び物理レイヤは、特別な関連性がある。データリンク・レイヤは、ネットワーク・エンティティ（entities）間でデータを伝送し、物理レイヤで起こりうるエラーを検出及び修正するための機能的及び手順的手段を提供する。データリンク・レイヤは、２つのサブレイヤ、すなわち媒体アクセス制御（ＭＡＣ）レイヤ及び論理的リンク制御（ＬＬＣ）レイヤに分けられる。ＭＡＣサブレイヤは、ネットワーク上のコンピュータが、データに対するアクセス及びこれを伝送するための許可を獲得する方式を制御する。ＬＬＣレイヤは、フレーム同期化、フロー制御及びエラー検査を制御する。物理（ＰＨＹ）レイヤは、デバイスに係わるあらゆる電気的及び物理的スペックを定義する。
【００２６】
高率ＰＨＹ（ＨＲＰ：high  rate  ＰＨＹ）は、適応的（adaptive）アンテナ技術を介して、約１０ｍの距離で、マルチＧｂ／ｓ処理量（throughput）を支援するＰＨＹである。これによって、ＨＲＰは、図２に図示されているように、非常に方向性があり（directional）ユニキャスト（unicast）連結のためにのみ使われうる。ＨＲＰは、圧縮解除された高解像度ビデオの伝達に対して最適化されており、他のデータは、ＨＲＰを使用して通信されうる。多数のビデオ解像度を支援するために、ＨＲＰは、一つ以上の定義されたデータ比率を有している。ＨＲＰは、オーディオ及びビデオ、非同期データ、ＭＡＣコマンド、アンテナ操向（steering）情報、データ及びＡ／Ｖ（audio／vedio）デバイスのためのさらに高いレイヤ制御データのような等時性（isochronous）データを運搬する。選択的に、ＨＲＰは、あらゆるデータを等時性で運搬することもできる。
【００２７】
低率ＰＨＹ（ＬＲＰ：low  rate  ＰＨＹ）はまた、約１０ｍの範囲を提供するマルチＭｂ／ｓ双方向性（bidirectional）リンクである。多数のデータ比率は、ほぼ全方向性（omni-directional）カバレージ（coverage）を有する下位（lower）データ比率を有したＬＲＰについて定義され、一方、最上位（highest）データ比率は、図２で示されているように方向性である。ＬＲＰは、ほぼ全方向性モードを有しているために、それは、ユニキャスト及びブロードキャスト（broadcast）の連結いずれについても使われうる。また、あらゆるステーションは、ＬＲＰを支援するために、それは、ステーション対ステーション（station-to-station）リンクのために使われうる。ＬＲＰは、方向性モードを含んだ多数のデータ比率を支援し、オーディオ、低率非同期データ、ビーコンフレーム（beacon  frame）を含んだＭＡＣコマンド、ＨＲＰパケットに対する確認応答（ａｃｋｎｏｗｌｅｄｇｅｍｅｎｔｓ）、アンテナ・ステアリング情報、性能（capabilities）情報及びＡ／Ｖデバイスに係わる上位レイヤ制御データのような低率等時性データを運搬するために使われる。
【００２８】
ＨＲＰ及びＬＲＰは、重複された周波数バンドらで動作し、従ってそれらは、ＭＡＣによって、ＴＤＭＡ（time  division  multiple  access）方式で統合される（coordinated）。ＷＶＡＮは、ある時間に係わったオーディオを有する少なくとも１つの圧縮解除された１０８０ｐビデオストリームを支援する。多数の下位比率で圧縮解除されたビデオストリーム（例えば、２つの１０８０ｉビデオストリーム）がまた支援される。
【００２９】
ＷＶＡＮは、二種類のデバイス、すなわちコーディネイタ及びステーションを支援する。コーディネイタは、ＷＶＡＮでタイミングを制御し、ＷＶＡＮのメンバの進路を記憶し、ＬＲＰを使用したり、またはＨＲＰを使用し、データを送受信する。ステーションは、ＬＲＰを使用してデータを送信及び受信し、ストリーム連結を初期化し、ＨＲＰを使用してデータを送受信する。ステーションは、ＷＶＡＮで、コーディネイタのように動作することもある。かようなステーションは、コーディネイタ可能（coordinator  capable）と言及される。
【００３０】
コーディネイタ及びステーションの二種ＭＡＣ特性（personalities）に加え、ＷＶＡＮでそれぞれのデバイスは、４つの異なるＰＨＹ性能のうち、一つを有している；ＨＲ０、ＨＲＲＸ、ＨＲＴＸ及びＨＲＴＲ。ＨＲ０は、ＨＲＰを使用して受信したり送信できないデバイスである。ＨＲＲＸは、ＨＲＰで受信することができるが、ＨＲＰを使用して送信できないデバイスである。ＨＲＴＸは、ＨＲＰで送信できるが、ＨＲＰを使用して受信すれないデバイスである。ＨＲＴＲは、ＨＲＰを使用して送信及び受信することができるデバイスである。
【００３１】
あらゆる互換（compliant）無線デバイスは、ＬＲＰを使用して送信及び受信することができる。ＨＲＰ及びＬＲＰいずれも、多数のデータ比率を提供することもできる。
【００３２】
無線通信システムの細部動作
無線高解像度（ＨＤ）オーディオビデオ（Ａ／Ｖ）システムで、以下のように説明される実施形態である。Ａ／Ｖシステムはまた、オーディオビジュアル・システムを含むこともできる。
【００３３】
図２は、本発明の一実施形態によるＡ／Ｖデバイス・コーディネイタ及びＡ／ＶステーションのようなＡ／Ｖデバイス間の圧縮解除されたＨＤビデオ伝送を具現する無線ネットワーク１００の機能ブロック図を示している。他の実施形態で、一つ以上のデバイスは、パソコン（ＰＣ）のようなコンピュータでありうる。ネットワーク１００は、デバイス・コーディネイタ１１２及び多数のＡ／Ｖステーション１１４（例えば、デバイス１，…，デバイスＮ）を含む。
【００３４】
Ａ／Ｖステーション１１４は、デバイス間の通信のために、低率（ＬＲ）無線チャンネル１１６（図２の点線）を利用し、高率（ＨＲ）チャンネル１１８（図２の実線）を利用することもできる。デバイス・コーディネイタ１１２は、ステーション１１４との通信のために、低率チャンネル１１６及び高率無線チャンネル１１８を使用する。それぞれのステーション１１４は、他のステーション１１４との通信のために、低率チャンネル１１６を使用する。高率チャンネル１１８は、圧縮解除されたＨＤビデオ伝送を支援するために、例えば、マルチＧｂ／ｓ帯域幅で、ビーム形成によって確立される方向性ビームを介して単一方向ユニキャスト伝送を支援する。例えば、セットトップボックスは、高率チャンネル１１８を介して圧縮解除されたビデオをＨＤテレビ（ＨＤＴＶ）に送信できる。低率チャンネル１１６は、実施形態によって、例えば４０Ｍｂｐｓまでの処理量で双方向性伝送を支援できる。低率チャンネル１１６は、主に確認応答（ＡＣＫ）フレームのような制御フレームを送信するために使われる。例えば、低率チャンネル１１６は、ＨＤＴＶからセットトップボックスまで確認応答を伝送できる。また、オーディオ及び圧縮解除されたビデオのようないくつかの低率データが、２つのデバイス間にで低率チャンネルで直接伝送されることもある。時分割デュプレシング（ＴＤＤ：time  division  duplexing）は、高率及び低率のチャンネルに適用される。あるときは、低率及び高率のチャンネルは、伝送のために平行に使われない。ビーム形成技術は、低率及び高率のチャンネルいずれにも使われうる。低率チャンネルはまた、全方向性伝送を支援することもできる。
【００３５】
一実施形態で、デバイス・コーディネイタ１１２は、ビデオ情報の受信機（以下、「受信機１１２」という）でステーション１１４は、ビデオ情報の送信機（以下、「送信機１１４」という）である。例えば、受信機１１２は、ＷＬＡＮタイプであるホーム無線ネットワーク環境のＨＤＴＶセットのように具現されたビデオ、及び／またはオーディオデータのシンクでありうる。送信機１１４は、圧縮解除されたビデオまたはオーディオのソース（source）でありうる。送信機１１４は、例えばセットトップボックス、ＤＶＤプレイヤまたはレコーダ、デジタルカメラ、カムコーダなどを含むことができる。
【００３６】
図３は、例示的な通信システム２００の機能ブロック図を示す。システム２００、無線送信機２０２及び無線受信機２０４を含む。送信機２０２は、物理（ＰＨＹ）レイヤ２０６、メディアアクセス制御（ＭＡＣ）レイヤ２０８及びアプリケーション・レイヤ２１０を含む。同様に、受信機２０４は、ＰＨＹレイヤ２１４、ＭＡＣレイヤ２１６及びアプリケーション・レイヤ２１８を含む。前記ＰＨＹレイヤは、無線媒体２０１を介して、一つ以上のアンテナを経て、送信機２０２及び受信機２０４間の無線通信を提供する。
【００３７】
送信機２０２のアプリケーション・レイヤ２１０は、Ａ／Ｖ事前処理モジュール２１１及びオーディオビデオ制御（ＡＶ／Ｃ）モジュール２１２を含む。Ａ／Ｖ事前処理モジュール２１１は、圧縮されていないビデオの分割（partitioning）のようなオーディオ／ビデオの事前処理を実行できる。ＡＶ／Ｃモジュール２１２は、Ａ／Ｖ性能情報を交換するための標準方式を提供する。連結が始まる前に、ＡＶ／Ｃモジュールは、使われるＡ／Ｖフォーマットと交渉し、連結の必要がなくなったとき、ＡＶ／Ｃコマンドは、その連結を停止させるために使われる。
【００３８】
送信機２０２で、ＰＨＹレイヤ２０６は、ＭＡＣレイヤ２０８と通信し、またラジオ周波数（ＲＦ）モジュール２０７と通信するために使われる、低率（ＬＲ）チャンネル（２０３）及び高率（ＨＲ）チャンネル２０５を含む。一実施形態で、ＭＡＣレイヤ２０８は、パケットとモジュール（図示せず）とを含むことができる。送信機２０２のＰＨＹ／ＭＡＣレイヤは、パケットにＰＨＹ及びＭＡＣヘッダを付加し、そのパケットを無線チャンネル２０１を介して受信機２０４に送信する。
【００３９】
無線受信機２０４で、ＰＨＹ／ＭＡＣレイヤ２１４，２１６は、受信されたパケットを処理する。ＰＨＹレイヤ２１４は、一つ以上のアンテナに連結されるＲＦモジュール２１３を含む。ＬＲチャンネル２１５及びＨＲチャンネル２１７は、ＭＡＣレイヤ２１６と通信し、ＲＦモジュール２１３と通信するために使われる。受信機２０４のアプリケーション・レイヤ２１８は、Ａ／Ｖ事後処理（post-processing）モジュール２１９及びＡＶ／Ｃモジュール２２０を含む。モジュール２１９は、例えば圧縮解除されたビデオを再生成するために、モジュール２１１の処理方法を逆に実行できる。ＡＶ／Ｃモジュール２２０は、送信機２０２のＡＶ／Ｃモジュール２１２と相補的な方式で動作する。
【００４０】
巡回冗長検査（ＣＲＣ：cyclic  redundancy  checksum）
巡回冗長検査（ＣＲＣ）は、ネットワーク通信を経て通信されるデータのパケットのようなデータのブロックから計算される値である。チェックサム（checksum）は、伝送後のエラーを検出するために使われる。ＣＲＣが計算され、伝送前にデータのパケットに添付され、伝送途中にいなかる変化も起こっていないことを確実にするために、受信人によって以後に認証される。
【００４１】
送信機及び受信機を含む無線通信システムで、送信機は、受信機に送信されるデータパケットに対する巡回冗長検査を計算し、そのチェックサムをデータパケットに添付する。データパケット及びチェックサムを受信する受信機は、受信されたデータパケットに係わるそれ自体の巡回冗長検査を計算し、データパケットのコンテンツが伝送途中に変化しているか否かを決定するために、計算されたチェックサムを受信されたチェックサムと比較する。
【００４２】
データパケットは、伝送するペイロード（payload）、ＰＨＹヘッダ及びＭＡＣヘッダを含む。ＣＲＣは、データパケットの一部であって、ＭＡＣヘッダに添付される。総じてＭＡＣヘッダは、そのサイズが変わりうる。可変サイズのデータパケットに対し、ＣＲＣを計算することは非効率的である。
【００４３】
本発明の一様相は、固定されたサイズまたは長さのＭＡＣヘッダを提供することである。ＭＡＣヘッダのいくつかのフィールドは、可変長であるために、ＭＡＣヘッダ拡張（extension）は、ＭＡＣヘッダの可変部分を扱うために使われる。ＭＡＣヘッダの可変部分は、ＭＡＣヘッダ拡張で孤立し、可変部分の長さ情報またはサイズ表示（indication）は、ＭＡＣヘッダの可変部分に対するＣＲＣを決定するときに使われる。
【００４４】
さらに特別には、可変サイズの可能性がないデータパケットの部分であるＭＡＣヘッダ非拡張部分は、非常に効率的に処理される。特に、固定された長さのＰＨＹ及びＭＡＣヘッダに対してＣＲＣを計算するのは、非常に効率的である。可変長であるＭＡＣヘッダ拡張については、別途のＣＲＣが計算され、その計算は、ＭＡＣヘッダ拡張のサイズ表示を提供して容易になる。別途のＣＲＣ計算は、計算速度の維持と共に、ＭＡＣヘッダ拡張の伝送の信頼性を向上させる。
【００４５】
図４は、ソース（source）及び目的地（destination）間のファイル伝送シナリオを示す図である。データ伝送アプリケーションは、ファイル伝送、保存されたマルチメディア・ファイルなどを含み、ここで、ソースデバイスは送信し、目的地デバイスは受信する。図４に示されているように、ソースデバイスＳは、無線リンクを介して、データを目的地デバイスＤに伝送する。
【００４６】
一般的に、ソースデバイスは、目的地デバイスにデータを伝送するために、マルチＧｂｐｓデータ比率を支援する高率リンクを使用する。このような高率リンクは、図４に示されている。目的地デバイスＤは、ソースデバイスに確認応答フレームを送信するために、低率フィードバックリンクを使用する。ある実施形態では、リバースリンクは、高率フォワードリンクと同じ帯域幅を使用する。
【００４７】
データ伝送を支援するためのＨＲＰフレームフォーマットを定義するときは、二種のアプローチがある：（１）いくつかの変形を含んだ現在のオーディオビデオ（Ａ／Ｖ）フレームフォーマットを使用すること、（２）新しいデータフレーム・フォーマットを使用すること。
【００４８】
変形を含んだ現在のＡ／Ｖフレームフォーマットの使用
図１に示されたＡ／Ｖフレームフォーマットのいくつかのフィールドは、データ伝送のための冗長である（redundant）。従って、データ伝送アプリケーションで、このような冗長フィールドは、効率性及び速度のために無視されうる。
【００４９】
図５は、本発明の一実施形態によるＰＨＹ制御フィールド７１１を示す図である。本実施形態で、ＰＨＹ制御フィールド７１１の６個の予備ビットから、１つのビットが割り当てられ、Ａ／Ｖ伝送及びデータ伝送を区別するために使われる。もしビット７１５がデータの存在を指せば、図１のビデオヘッダ・フィールド１０４及びクロックシンク・フィールド１０２は無視されうる。また、オーディオ及びビデオは含まれないために、サブパケット断片１０６の個数は、７個から５個に減りもする。
【００５０】
ＰＨＹ制御フィールド７１１は、図５に示されているように、ビームトラックキング（beam  tracking）７１３、スキュー配列（skewed  constellation）７１４、データまたはＡ／Ｖ表示７１５及び予備スペース７１６のためのサブフィールドを含む。サブフィールド及びサブフィールドの順序は重要ではなく、特定アプリケーション及び実施形態によって変わりもする。フィールドは再配列されもする。しかし、フィールドの本質は、変わらない。本実施形態で、データまたはＡ／Ｖ表示フィールド７１５は、図１に示された原ＰＨＹフレームのＰＨＹ制御フィールド７１１に付加された。
【００５１】
データ伝送のために、これ以上特定の目的と関連せずに、データ伝送のために使われない自由フィールド（freed  fields）は、ビデオヘッダ（２４バイト）１０４、クロックシンク（clock sync）（６バイト）１０２、及び２つのサブパケット・フィールド（６バイト）１０６を含む。自由スペースは、図６に示されているように、ＭＡＣヘッダ拡張８５０に付加される再伝送表示子フィールド８５５として使われもする。ＭＡＣヘッダ拡張８５０は、拡張制御８５１、サブパケットのためのタイプ８５２、ＬＲＰフィードバック８５３、複数個のＡＣＫグループ８５４、及び再伝送表示子８５５のためのフィールドを含むこともできる。再伝送表示子８５５は、サブパケット及び予備スペース８５７のためのサブフィールド８５６を含むこともできる。
【００５２】
再伝送表示子８５５は、図７に示されているように、フォーマッティングされもする。サブパケットのためのビットは、もしサブパケットが再伝送されれば、１に設定されもする。そうでなければ、サブパケットのためのビットは、０に設定される。
【００５３】
さて、図８を参照するに、サブパケット・フィールド８５６は、初期化ベクトル８５７、サブパケット・ペイロード８５８、ＬＳＢ  ＣＲＣ８５９及びＭＳＢ  ＣＲＣ８６０のためのサブフィールドを含む。図８のサブパケット８５６で、サブパケット・ペイロード８５８は、データまたはＰＨＹ制御フィールド７１１のＡ／Ｖ表示フィールド７１５がデータ伝送を指すように設定されるとき、図９でのようにフォーマッティングされもする。サブパケット・ペイロード８５８は、複数個のペイロード８６１のためのサブ・サブフィールドを含む。こういう方式で、サブパケットレベル及びペイロードレベルで、二種レベルの集合がなされる。ＭＡＣ制御フィールドで、異なる設定（すなわち、ビーコン、データ、及びＭＡＣ制御フレーム）を有したサブパケットは、１つのＭＡＣフレームに共に集合されうる。また、それぞれのサブパケットは、多数のペイロードを有することもできる。サブパケットの典型的なサイズは、１００Ｋ〜２００Ｋビットであるために、４０〜１５００バイトのＩＰパケットの多数のペイロードは、１つのペイロードに集合されうる。選択的に、サブパケットのサイズ（例えば、６５，５３６バイトのＩＰパケット）より大きいペイロードは、多数のサブパケットに断片化され、多数のサブパケット内に含まれうる。従って、ペイロードからのサブパケットは、サブ・サブパケットにさらにサブ・グループ化されうる。実施形態によって、データまたはＰＨＹ制御フィールド７１１のＡ／Ｖ表示フィールド７１５は、１ビットを含む。
【００５４】
複数個のペイロード８６１のそれぞれは、図１０でのような長さ８６２、シーケンス番号８６３、断片制御（fragment  control）８６４、ＣＲＣ  ８６５及びＭＡＣサービスデータユニット（ＭＳＤＵ）８６６のためのフィールドを含むようにフォーマッティングされもする。ＭＳＤＵは、ＭＡＣによって受信されから断片化されたり、またはＭＰＤＵを形成するために、他の最近受信されたＭＳＤＵと連結された多数のデータフレームを含むこともできる。長さフィールド８６２は、８進数で（in  octets）ＭＳＤＵ８６６の長さを表示する。シーケンス番号フィールド８６３は、２＾１４のモジュールで（modulo）である。断片制御フィールド８６４は、００（完全なＭＳＤＵ）、０１（ＭＳＤＵの第１断片）、１０（ＭＳＤＵの中間断片）、及び１１（ＭＳＤＵの最後の断片）としてフォーマッティングされる。ＣＲＣフィールド８６５は、ペイロード・ヘッダ８６７に対して計算される。
【００５５】
選択的に、ペイロードにＣＲＣエラーの場合を克服するために、公知のシーケンス・パターンがペイロード・ヘッダに付加されもし、この場合、ペイロードは、公知のシーケンス・パターンに基づいて抽出されうる。このような公知のシーケンス・パターンは、ＩＥＥＥ８０２．１１ｎのＡ−ＭＰＤＵで使われたパターンと類似してもいる。
【００５６】
新しいデータフレーム・フォーマットの使用
図１１は、データに対するＨＲＰフレームフォーマットを示す図であり、図１２は、図１１に示されたヘッダ部分と共に使用するためのＰＨＹヘッダ７１０を示す図である。図１２を参照するに、まず、ＰＨＹヘッダで、ＰＨＹ制御フィールド７１１の１つのデータパケット表示フィールド７１５は、伝送するものがデータフレームであるか、またはＡ／Ｖフレームであるかを指す。ＨＲＰデータ伝送に対し、データパケット表示フィールド７１５は、１に設定される。もしこのフィールドがデータの存在を指せば、図１１に示されたＡ／Ｖフレームフォーマットで、ビデオヘッダ・フィールド１０４及びクロックシンク・フィールド１０２は、無視される。第二に、本方法は、図１に示されているように、７個のサブパケット長及びＭＣＳフィールド１０６を使用せずに、７個ではない５個のサブパケット長及びＭＣＳフィールド７１２が使われる図１１及び図１２に示されているように、短いＡＣＫが５個のＡＣＫビットを有するために、直接５個のＡＣＫグループを使用する。ＰＨＹヘッダ７１０の７１２で、ＡＣＫグループ長さ情報は、それぞれのＡＣＫグループの長さを表示するために使われる。もしＰＨＹ  ＣＲＣ  ７７３が良好なものであれば、ＣＲＣ７７６は計算してはならない。ある実施形態では、ＰＨＹ制御フィールド７１１のデータまたはＡ／Ｖ表示フィールド７１５は、１ビットを含む。
【００５７】
再び図１１を参照するに、ＨＲＰペイロード７７０で、多数のサブパケット７７２がありうる。このようなサブパケット７７２は、５個のＡＣＫグループ７７１にグルーピングされる。それぞれのＡＣＫグループ７７１は、一つまたは多数のサブパケット７７２を有することができる。そして、それぞれのＡＣＫグループ７７１は、４バイトＣＲＣ７７３によって付加される。ＣＲＣ７７３は、１つのＡＣＫビットを設定するために、ＨＲＰ  ＰＨＹレイヤで処理される。このようなスキームと共に、受信機でのＰＨＹレイヤは、短いＡＣＫパケットでフィードバックする前に、それぞれのサブパケットを分析する必要がない。従って、データフレーム及び短いＡＣＫ間のインターフレーム持続期間（inter-frame  duration）は、短縮されうる。それぞれのＡＣＫグループ７７１に対して、７１２で与えられる長さ情報は、ＰＨＹヘッダ７１０で定義される。もしＡＣＫグループＣＲＣ７７３によって検出されるＡＣＫグループ７７１でのいくつかのビットが誤っていたならば、対応するＡＣＫビットは、０に設定されるであろう。送信機は、ＡＣＫグループ７７１で、あらゆるサブパケット７７２を再送信するであろう。しかし、受信機側のＭＡＣレイヤは、それぞれのサブパケットは、自体のＣＲＣチェックを有するために、ＭＡＣレイヤは、どのサブパケットが正しいであるかが分かる。ＡＣＫグループＣＲＣ７７３は、ＡＣＫグループ７７１に対するエラーを報告するとしても、ＰＨＹレイヤは、ＡＣＫグループ７７１でのあらゆるサブパケット７７２をＭＡＣレイヤに移動させる。このようなスキームと共に、１つのＡＣＫグループ７７１内のそれぞれのサブパケット７７２の多数の写本から、ＭＡＣレイヤは、自体のＣＲＣ７７３が正しいサブパケット７７２を選択的に拾い出せる。
【００５８】
もしＰＨＹ設計がかような制限で有しているならば、それぞれのＡＣＫグループ７７１の持続期間は、固定された持続期間を有することができる。例えば、ＰＨＹは、それぞれのＡＣＫグループ７７２に、５０μｓｅｃ長さであることを要求することもできる。こういう場合に、上位レイヤからのサブパケット７７２が可変サイズを有せは、ヌル（null）データがＡＣＫグループ７７１で、最後のサブパケットの終端に付加される必要があることもある。
【００５９】
それぞれのサブパケット７７２は、８ビットデリミッタ（delimiter）７７４、１２ビット長さ情報７７５、４ビットＣＲＣ７７６及びＭＰＤＵ７７７に始まる。ＭＰＤＵ７７７は、ＭＡＣヘッダ、保安またはリンク適応（adaptation）ヘッダ情報がある場合には、ＭＡＣヘッダ拡張、及びＭＡＣペイロード（ＭＳＤＵまたはＡ−ＭＳＤＵ）情報フィールドを含む。デリミッタ７７４は、例えばＩＥＥＥ８０２．１１ｎのＡ−ＭＰＤＵで使われるＡＳＣＩＩ  code  Ｎのような特定のパターンに設定されもする。
【００６０】
図１１を参照するに、ＨＲＰフレームフォーマット７００は、ＰＨＹプリアンブル（preamble）７０１及びビームトラック７０４をさらに含むこともできる。他の実施形態として、ビームトラック７０４は、ペイロード７７０の一部がビームトラックとして使われうるために、分離して提供されないこともある。
【００６１】
図１３ないし図１５は、図１１に示されたＭＡＣヘッダ７３０及びＭＡＣヘッダ拡張７５０を示す。図１３は、本発明の一実施形態によるＭＡＣヘッダを示す図であり、図１４は、図１３のＭＡＣ制御フィールドを示す図であり、図１５は、ＭＡＣヘッダ拡張フォーマットを示す図である。
【００６２】
図１１のＭＡＣヘッダ７３０のフォーマットが図１３に図示されている。ＭＡＣヘッダ７３０は、ＭＡＣ制御７３１、目的地ＩＤ  ７３２、ソースＩＤ  ７３３、無線ビデオ領域ネットワークＩＤ（ＷＶＮＩＤ）７３４、ストリームインデックス７３５及びシーケンス番号７３６のためのフィールドを含む。ＭＡＣ制御フィールド７３１は、図１４に図示されている。ＭＡＣ制御フィールド７３１は、プロトコル・バージョン７４１、パケットタイプ７４２、ＡＣＫ政策７４３、保安７４４、再トライ７４５、リンク適応７４６及び予備空間７４７のためのサブフィールドを含む。
【００６３】
図１のＡ／ＶアプリケーションのためのＨＲＰコンポジットフレーム・フォーマットのＭＡＣヘッダと比較するとき、図１４に示されているように、ＭＡＣヘッダ拡張フィールド７５０は除去され、ＭＡＣ制御フィールド７３１で、元来のＭＡＣヘッダ拡張フィールドの３ビットが除去されている。もし保安の表示ビット７４４、またはリンク適応ビット７４６が１に設定されれば、対応するフィールド７５１，７５２は、図１５に示されているように、ＭＡＣヘッダ７３０後に、ＭＡＣヘッダ拡張部分７５０に付加されうる。ＭＡＣヘッダ拡張７５０は、保安ヘッダ７５１、リンク適応７５２及びＬＲＰフィードバック７５３のためのフィールドを含む。
【００６４】
図１１で、それぞれのサブパケット７７２は、前述のように、ＭＰＤＵ７７７で、それ自体のＭＡＣヘッダを有する。このようなスキームは、ＭＡＣ制御フィールド７３１で、異なる設定を有したサブパケット７７２を共に結集させる。例えば、ビーコン（beacon）、データ及びＭＡＣ制御フレームのような多様な種類のパケットが共に結集されうる。また、再伝送されたパケット及び本来再伝送されたパケットもまた結集されうる。付加的に、このようなスキームは、伝送信頼度を向上させる。１つのＭＡＣヘッダでのエラーは、他のサブパケットに影響を及ぼさないであろう。
【００６５】
図１６は、本発明の一実施形態によるデータのためのＨＲＰフレームフォーマットを示す図である。図１６は、あらゆるサブパケット８７２が、１つのＭＡＣヘッダ７３０を共有するデータのための選択的なＨＲＰフレームフォーマット８００を示す。このようなアプローチの長所は、あらゆるサブパケット８７２が、１つのＭＡＣヘッダ７３０を共有するために、ＭＡＣヘッダオーバヘッドが最小化されるということである。しかし、異なるＭＡＣ制御構成（configurations）を有するサブパケットは、共に結集されえない。それぞれのサブパケット８７２は、８ビットのデリミッタ（図示せず）、１２ビットの長さ情報８７５、６ビットのサブパケットタイプ情報７７８、２ビットの予備７７９及び４ビットのＣＲＣ８７６を含む。ＰＨＹヘッダ、ＭＡＣヘッダ及びＭＡＣ制御は、それぞれ図１２、図１３、及び図１４に図示されたところと同一である。
【００６６】
予備の４２バイト８０２から１つのバイトは、それぞれのサブパケットの再伝送状態を表示するのに使われる。このような１バイトフィールドは、図６に図示されているように、再伝送表示子８５５と呼ばれる。
【００６７】
前述の新しいフレームフォーマットのいずれにも、多数の使われないヘッダがあって、これは、次の通り使われうる：図１のＡ／Ｖフレームフォーマットは、４  ＯＦＤＭシンボルを要求するために、３  ＯＦＤＭシンボル（６９バイト）に適したデータ特定ＰＨＹ及びＭＡＣヘッダが設計されうる；もしＰＨＹ設計制限によって、４  ＯＦＤＭシンボルが必要であるならば、次のオプションが利用されうる；ＨＣＳ計算は、自由（free）フィールドをスキップするために、自由フィールドで起こるビットエラーは、ＣＲＣ失敗を誘発せず、これは陽性エラー（false-positive）の確率をなくす；自由フィールドは、シーケンス番号及び５個のサブフィールドのための再伝送カウントを定義するために使われうる；いくつかのさらに高いレイヤプロトコル情報が、このような自由フィールドに提供され、または、ＡＶＣメッセージのようないくつかの小さい制御メッセージを入れるために提供されうる。
【００６８】
本発明の実施形態は、特別な無線ＨＤビデオネットワークで使用するために記述されたとしても、ＨＲＰフレーム構造は、そのように限定されるものではない。実施形態は、無線ビデオネットワーク環境で、他のＭＡＣプロトコルに一般的に使われうる。
【００６９】
図１７は、圧縮解除されたビデオのための無線通信ネットワークで、データを伝送するための方法を示すフローチャートである。本方法（Ｓ１０００）は、データを複数個のデータパケットに断片化する段階（Ｓ１０１０）、ＰＨＹヘッダをデータパケットのうち、少なくとも一つに付加し、ＭＡＣ（medium  access  control）フレームを形成する段階（Ｓ１０２０）、ＰＨＹヘッダにビットを設定し、パケットがオーディオビデオ（Ａ／Ｖ）データを含まないということを表示する段階（Ｓ１０３０）、及びＭＡＣフレームを無線通信ネットワークの他のデバイスに送信する段階（Ｓ１０４０）を含む。断片化する段階（Ｓ１０１０）で、選択的に、小さいペイロードは、前述のように、１つのサブパケットに結集されうる。
【００７０】
結論
前述の詳細な説明は、多様な実施形態に適用される本発明の基本的な新規特徴を記述したものである一方、記述されたシステムの形態及び詳細には、本技術分野の当業者によって、本発明の意図を外れることなしに、多様な省略、置換及び変更がなされうることが理解されるであろう。
【図１】
2010541451.tif 000003
【図２】
2010541451.tif 000004
【図３】
2010541451.tif 000005
【図４】
2010541451.tif 000006
【図５】
2010541451.tif 000007
【図６】
2010541451.tif 000008
【図７】
2010541451.tif 000009
【図８】
2010541451.tif 000010
【図９】
2010541451.tif 000011
【図１０】
2010541451.tif 000012
【図１１】
2010541451.tif 000013
【図１２】
2010541451.tif 000014
【図１３】
2010541451.tif 000015
【図１４】
2010541451.tif 000016
【図１５】
2010541451.tif 000017
【図１６】
2010541451.tif 000018
【図１７】
2010541451.tif 000019
【国際調査報告】
2010541451.tif 000020
2010541451.tif 000021